(57)【特許請求の範囲】
【請求項１】
カメラ付子機（１）と、前記カメラ付子機にて撮像された映像を出画するためのモニタ（２２）を有し前記カメラ付子機と通話するための室内機（２）とで構成され、
前記室内機は、商用電源より直流電源を生成するためのスイッチングレギュレータ（２４）と、前記直流電源を映像撮像および通話を成立させるための動作電源として前記カメラ付子機に供給するための子機電源供給回路（２７）と、前記直流電源を前記室内機で使用する電圧に降圧するための電圧変換回路（２５）と、前記電圧変換回路からの出力における異常電圧を検出して前記スイッチングレギュレータの出力電圧を低下させるための電圧制御回路（２６）とを備えることを特徴とするテレビドアホン装置。
【発明の詳細な説明】
【０００１】
【発明の属する技術分野】
本発明はテレビドアホン装置に係り、特に、室内機内の動作電源として供給される直流電源が上昇し異常電圧となることを防止することにより、異常状態においても完全な安全対策が図られたテレビドアホン装置に関する。
【０００２】
【従来の技術】
従来から、この種のテレビドアホン装置として、図２の回路ブロック図に示す構成のテレビドアホン装置が提案されている。
【０００３】
同図に示す室内機５２は、通常、住戸内に設置されており、ＣＰＵ６０、呼出検出回路６１、モニタ６２、通話回路６３、スイッチングレギュレータ６４、電圧変換回路６５、子機電源供給回路６６、多重・分離回路６７が備えられている。また、ＣＰＵ６０には、呼出検出回路６１、モニタ６２、通話回路６３、子機電源供給回路６６がそれぞれ接続されており、子機電源供給回路６６は、スイッチングレギュレータ６４と電圧変換回路６５との間に接続されている。さらに、多重・分離回路６７には、呼出検出回路６１、モニタ６２、通話回路６３、子機電源供給回路６６がそれぞれ接続されているとともに、接続ラインＬn51を介してカメラ付子機５１が接続されており、このカメラ付子機５１は、通常、住戸外、例えば、玄関先に設置され、呼出機能、映像撮像機能、通話機能等を有する（詳述、図示せず）。
【０００４】
室内機５２において、スイッチングレギュレータ６４の制御回路７０には、商用電源（ＡＣ１００Ｖ）および電圧変換回路６５のトランジスタ（スイッチングトランジスタ）Ｑ51のエミッタに接続されたスイッチング回路７１と、直列接続された電圧検出用抵抗Ｒ60、Ｒ61の接続点とがそれぞれ接続されており、スイッチング回路７１と電圧変換回路６５のトランジスタＱ51のエミッタとの間には、他端が電圧検出用抵抗Ｒ61を介して基準電位点に接続された電圧検出用抵抗Ｒ60の一端と、子機電源供給回路６６とがそれぞれ接続されている。
【０００５】
室内機５２において、電圧変換回路６５の制御回路８０には、エミッタがスイッチングレギュレータ６４のスイッチング回路７１に、コレクタがコイル（チョークコイル）Ｌ51を介して室内機５２を構成する各回路（各部）にそれぞれ接続されたトランジスタＱ51のベースと、直列接続された電圧検出用抵抗Ｒ70、Ｒ71の接続点とがそれぞれ接続されている。また、トランジスタＱ51のコレクタとコイルＬ51の一端との間には、アノードが基準電位点に接続されたダイオードＤ51のカソードが接続されている。さらに、コイルＬ51の他端と室内機５２を構成する各回路（各部）との間には、他端が電圧検出用抵抗Ｒ71を介して基準電位点に接続された電圧検出用抵抗Ｒ70の一端が接続されており、この接続点には、アノードが基準電位点に接続されたパワーツェナーダイオードＰＺＤのカソードも接続されている。
【０００６】
このように構成された従来例のテレビドアホン装置をなす図２の回路ブロック図に示す室内機５２において、商用電源（ＡＣ１００Ｖ）よりスイッチングレギュレータ６４のスイッチング回路７１を介して生成された直流電源は、電圧変換回路６５のトランジスタＱ51のエミッタおよび子機電源供給回路６６に常時、供給されているとともに、電圧検出用抵抗Ｒ60、Ｒ61を介して分圧された後、制御回路７０に常時、供給されている。
【０００７】
また、室内機５２において、スイッチングレギュレータ６４の制御回路７０は、電圧検出用抵抗Ｒ60、Ｒ61を介して分圧された直流電源の電圧レベルが一定となるようにスイッチング回路７１を制御することにより、電圧変換回路６５のトランジスタＱ51のエミッタおよび子機電源供給回路６６に供給される直流電源の電圧レベルは常時、一定となり、スイッチングレギュレータ６４からの出力をなす直流電源は、当該テレビドアホン装置が呼出状態、すなわち、カメラ付子機５１の呼出機能が能動とされている場合、これを検出したＣＰＵ６０の制御により能動とされる子機電源供給回路６６、多重・分離回路６７、接続ラインＬn51を介してカメラ付子機５１に供給され、カメラ付子機５１の映像撮像および通話を成立させるための動作電源となるばかりでなく、電圧変換回路６５のトランジスタＱ51のエミッタ、コレクタ、コイルＬ51を介して室内機５２で使用する電圧レベルに降圧された後、室内機５２の動作電源として各回路（各部）に常時、供給されているとともに、電圧検出用抵抗Ｒ70、Ｒ71を介して分圧された後、制御回路８０に常時、供給されている。
【０００８】
さらに、室内機５２において、電圧変換回路６５の制御回路８０は、電圧検出用抵抗Ｒ70、Ｒ71を介して分圧された直流電源の電圧レベルが一定となるようにトランジスタＱ51をオン／オフ制御することにより、室内機５２の動作電源として各回路（各部）に供給されている直流電源の電圧レベルは常時、一定となる。
【０００９】
【発明が解決しようとする課題】
従来例のテレビドアホン装置をなす室内機５２において、電圧変換回路６５のトランジスタＱ51のエミッタ、コレクタ間がショートモードで破壊した場合、電圧変換回路６５からの出力をなす直流電源の電圧レベルは、スイッチングレギュレータ６４からの出力をなす直流電源の電圧レベルのままであり、このように電圧変換回路６５を介して降圧されていない直流電源が動作電源となる室内機５２では、異常電圧の供給に基づいて不安定な状態となる。
【００１０】
そこで、室内機５２の電圧変換回路６５では、トランジスタＱ51のエミッタ、コレクタ間がショートモードで破壊した場合、パワーツェナーダイオードＰＺＤをショートモードで破壊させることにより、出力をなす直流電源の電圧レベルが降圧されることに基づいて室内機５２が不安定な状態となることを回避していた。
【００１１】
しかしながら、従来例のテレビドアホン装置をなす室内機５２において、電圧変換回路６５のトランジスタＱ51のエミッタ、コレクタ間がショートモードで破壊した場合、上述のようにパワーツェナーダイオードＰＺＤをショートモードで破壊させたが、ショートモードで破壊してもパワーツェナーダイオードＰＺＤにはショート電流が流れているため、ショート電流でオープン破壊しないだけの当該パワーツェナーダイオードが必要となり、コストが高くなるばかりでなく、当該パワーツェナーダイオードは必ずしも０Ωでショート破壊しないため、完全な安全対策とはならない難点があった。
【００１２】
本発明は、上述の難点を解消するためになされたもので、室内機の電圧変換回路に電源供給しているスイッチングレギュレータの出力電圧を、電圧変換回路からの出力をなす直流電源の電圧レベルの上昇に基づいて低下させることにより、異常状態においても完全な安全対策が図れられたテレビドアホン装置を提供することを目的としている。
【００１３】
【課題を解決するための手段】
上述の目的を達成するため、本発明のテレビドアホン装置は、カメラ付子機と、カメラ付子機にて撮像された映像を出画するためのモニタを有しカメラ付子機と通話するための室内機とで構成され、室内機は、商用電源より直流電源を生成するためのスイッチングレギュレータと、直流電源を映像撮像および通話を成立させるための動作電源としてカメラ付子機に供給するための子機電源供給回路と、直流電源を室内機で使用する電圧に降圧するための電圧変換回路と、電圧変換回路からの出力における異常電圧を検出してスイッチングレギュレータの出力電圧を低下させるための電圧制御回路とを備えている。
【００１４】
このようなテレビドアホン装置によれば、室内機を構成する各回路（各部）に動作電源を供給している電圧変換回路と、電圧変換回路に電源供給しているスイッチングレギュレータとの間にツェナーダイオードにより構成される電圧制御回路を接続し、電圧変換回路からの出力をなす直流電源の電圧レベルの上昇に基づいて、スイッチングレギュレータの出力電圧を低下、すなわち、出力される直流電源の電圧レベルを降圧させることができる。
【００１５】
【発明の実施の形態】
以下、本発明によるテレビドアホン装置を適用した好ましい形態の実施例について、図面を参照して説明する。
【００１６】
図１は、本発明の一実施例によるテレビドアホン装置の構成を示す回路ブロック図であり、通常、住戸外、例えば、玄関先に設置されるカメラ付子機１と、住戸内に設置される室内機２とが接続ラインＬn1を介して接続され構成されている。
【００１７】
同図に示すカメラ付子機１には、玄関先の人物、例えば、来訪者が、住戸内の居住者を呼び出すために押下操作する呼出ボタン１０と、呼出操作を行なった来訪者の映像を撮像するためのカメラ１１と、来訪者が呼び出した居住者との通話を成立させるために使用する通話回路１２と、カメラ１１および通話回路１２を能動とするための動作電源を供給する電源回路１３と、カメラ１１から接続ラインＬn1を介して室内機２に伝送される映像信号の信号伝送路、通話回路１２と接続ラインＬn1を介して室内機２との間で送受信される音声信号の信号伝送路、室内機２から接続ラインＬn1を介して供給された直流電源を電源回路１３に給電する電源供給路をそれぞれ形成するための多重・分離回路１４とが備えられている。
【００１８】
同図に示す室内機２には、当該室内機および装置全体のシステムを動作制御するためのＣＰＵ２０と、玄関先の来訪者によりカメラ付子機１の呼出ボタン１０が押下操作されたことを呼出検出し、その旨の呼出検出信号をＣＰＵ２０に送出するための呼出検出回路２１と、ＣＰＵ２０により制御され、カメラ付子機１のカメラ１１にて撮像された来訪者の映像を出画するためのモニタ２２と、ＣＰＵ２０により制御され、住戸内の居住者がモニタ２２に出画された映像を確認しながら来訪者との通話を成立させるために使用する通話回路２３と、商用電源（ＡＣ１００Ｖ）より直流電源を生成するためのスイッチングレギュレータ２４と、スイッチングレギュレータ２４からの出力をなす直流電源の電圧レベルを、室内機２で使用する電圧レベル、すなわち、動作電源の電圧レベルに降圧するための電圧変換回路２５と、スイッチングレギュレータ２４と電圧変換回路２５との間に接続され、電圧変換回路２５からの出力における異常電圧を検出してスイッチングレギュレータ２４の出力電圧を低下、すなわち、出力される直流電源の電圧レベルを降圧させるための電圧制御回路２６をなすツェナーダイオードＺＤと、ＣＰＵ２０により制御され、スイッチングレギュレータ２４からの出力をなす直流電源を、映像撮像および通話を成立させるための動作電源としてカメラ付子機１に供給するための子機電源供給回路２７と、カメラ付子機１から接続ラインＬn1を介してモニタ２２に伝送される映像信号の信号伝送路、通話回路２３と接続ラインＬn1を介してカメラ付子機１との間で送受信される音声信号の信号伝送路、スイッチングレギュレータ２４から子機電源供給回路２７を介して接続ラインＬn1に供給される直流電源の電源供給路をそれぞれ形成するための多重・分離回路２８とが備えられている。
【００１９】
室内機２のスイッチングレギュレータ２４には、当該スイッチングレギュレータを動作制御するための制御回路３０と、制御回路３０により制御され、商用電源（ＡＣ１００Ｖ）より直流電源を生成するためのスイッチング回路３１と、当該スイッチングレギュレータの出力電圧、すなわち、スイッチング回路３１からの出力をなす直流電源を分圧するために直列接続された電圧検出用抵抗Ｒ10、Ｒ11とが備えられている。また、制御回路３０には、商用電源（ＡＣ１００Ｖ）および電圧変換回路２５のトランジスタ（スイッチングトランジスタ）Ｑ1のエミッタに接続されたスイッチング回路３１と、直列接続された電圧検出用抵抗Ｒ10、Ｒ11の接続点とがそれぞれ接続されており、この接続点には、電圧制御回路２６をなすツェナーダイオードＺＤのアノードが接続されている。さらに、スイッチング回路３１と電圧変換回路２５のトランジスタＱ1のエミッタとの間には、他端が電圧検出用抵抗Ｒ11を介して基準電位点に接続された電圧検出用抵抗Ｒ10の一端と、子機電源供給回路２７とがそれぞれ接続されている。
【００２０】
室内機２の電圧変換回路２５には、当該電圧変換回路を動作制御するための制御回路４０と、制御回路４０により制御され、スイッチングレギュレータ２４からの出力をなす直流電源の電源供給路の形成をオン／オフするためのトランジスタ（スイッチングトランジスタ）Ｑ1と、トランジスタＱ1のエミッタ、コレクタを介した直流電源の電圧レベルを、室内機２で使用する電圧レベルに降圧するためのコイル（チョークコイル）Ｌ1と、アノードが基準電位点に、カソードがトランジスタＱ1のコレクタとコイルＬ1の一端との間にそれぞれ接続されたダイオードＤ1と、コイルＬ1を介して降圧された直流電源を分圧するために直列接続された電圧検出用抵抗Ｒ20、Ｒ21とが備えられている。また、制御回路４０には、エミッタがスイッチングレギュレータ２４のスイッチング回路３１に、コレクタがコイルＬ1の一端にそれぞれ接続されたトランジスタＱ1のベースと、電圧検出用抵抗Ｒ20、Ｒ21の接続点とがそれぞれ接続されており、この接続点には、電圧制御回路２６をなすツェナーダイオードＺＤのカソードが接続されている。さらに、コイルＬ1の他端と室内機２を構成する各回路（各部）との間には、他端が電圧検出用抵抗Ｒ21を介して基準電位点に接続された電圧検出用抵抗Ｒ20の一端が接続されている。
【００２１】
このように構成された本発明の一実施例によるテレビドアホン装置において、以下、その動作を具体的に説明する。
【００２２】
図１の回路ブロック図に示す室内機２において、商用電源（ＡＣ１００Ｖ）よりスイッチングレギュレータ２４のスイッチング回路３１を介して生成された直流電源は、電圧変換回路２５のトランジスタＱ1のエミッタおよび子機電源供給回路２７に常時、供給されているとともに、電圧検出用抵抗Ｒ10、Ｒ11を介して分圧された後、制御回路３０に常時、供給されている。
【００２３】
また、室内機２において、スイッチングレギュレータ２４の制御回路３０は、電圧検出用抵抗Ｒ10、Ｒ11を介して分圧された直流電源の電圧レベルが一定となるようにスイッチング回路３１を制御することにより、電圧変換回路２５のトランジスタＱ1のエミッタおよび子機電源供給回路２７に供給される直流電源の電圧レベルは常時、一定のレベルとなる。
【００２４】
なお、当該テレビドアホン装置が待受状態、すなわち、カメラ付子機１の呼出ボタン１０が押下操作されていない場合において、室内機２の子機電源供給回路２７は、ＣＰＵ２０の制御により非能動とされ、スイッチングレギュレータ２４からの出力をなす直流電源が子機電源供給回路２７を介してカメラ付子機１に供給されることはない。
【００２５】
次に、上述のように当該テレビドアホン装置が待受状態において、玄関先に居る来訪者が、住戸内の居住者を呼び出すためにカメラ付子機１の呼出ボタン１０を押下操作すると、多重・分離回路１４、接続ラインＬn1、室内機２の多重・分離回路２８を介して呼出検出回路２１に呼出信号が伝送され、これを検出した呼出検出回路２１からＣＰＵ２０に呼出検出信号が送出される。また、呼出検出回路２１からの呼出検出信号を検出したＣＰＵ２０は、待受状態から呼出状態に移行され、モニタ２２、通話回路２３、子機電源供給回路２７が能動となるようにそれぞれ制御することにより、スイッチングレギュレータ２４からの出力をなす直流電源は、子機電源供給回路２７、多重・分離回路２８、接続ラインＬn1、カメラ付子機１の多重・分離回路１４を介して電源回路１３に供給される。
【００２６】
また、カメラ付子機１の電源回路１３は、室内機２からの直流電源を当該カメラ付子機の映像撮像および通話を成立させるための動作電源としてカメラ１１、通話回路１２にそれぞれ供給することにより、カメラ１１にて撮像された来訪者の映像信号の信号伝送路、すなわち、カメラ１１から多重・分離回路１４、接続ラインＬn1、室内機２の多重・分離回路２８を介してモニタ２２への信号伝送路が形成され、モニタ２２にて来訪者の映像が出画されるとともに、これを確認した居住者が使用する通話回路２３と、多重・分離回路２８、接続ラインＬn1、カメラ付子機１の多重・分離回路１４を介して来訪者が使用する通話回路１２との間の信号伝送路が形成され、この信号伝送路を介して音声信号を送受信させることにより通話が成立する。
【００２７】
次に、室内機２において、電圧変換回路２５のスイッチングトランジスタＱ1のエミッタ、コレクタ間がショートモードで破壊した場合、電圧変換回路２５からの出力をなす直流電源の電圧レベルは、スイッチングレギュレータ２４からの出力をなす直流電源の電圧レベルのままであり、このように電圧変換回路２５を介して降圧されていない直流電源が動作電源となる室内機２では、異常電圧の供給に基づいて不安定な状態となる。
【００２８】
そこで、室内機２では、スイッチングレギュレータ２４と電圧変換回路２５との間に電圧制御回路２６をなすツェナーダイオードＺＤを接続することにより、このツェナーダイオードＺＤのカソードにはツェナー電位以上の電圧が印加されるため、ツェナーダイオードＺＤのカソード、アノード間は導通状態となり、スイッチングレギュレータ２４の制御回路３０は、ツェナーダイオードＺＤからの出力電圧が当該制御回路内部の基準電圧と同一のレベルとなるようにスイッチング回路３１を制御する。また、制御回路３０により制御されたスイッチング回路３１の出力電圧、すなわち、出力される直流電源の電圧レベルは、電圧制御回路２６をなすツェナーダイオードＺＤのツェナー電圧と制御回路３０内部の基準電位とが加算された電圧レベルとなり、この電圧レベルは、正常時の電圧レベルと比較して低下（降圧）され、電圧変換回路２５のトランジスタＱ1のエミッタへの入力電圧の電圧レベルも低下（降圧）することから、電圧変換回路２５からの出力をなす直流電源が動作電源となる室内機２を構成する各回路（各部）に異常電圧が供給されることはなく、室内機２が不安定な状態となることを回避でき完全な安全対策が図れる。
【００２９】
なお、室内機２において、電圧制御回路２６を構成するツェナーダイオードＺＤのアノードと、スイッチングレギュレータ２４の制御回路３０との間に抵抗およびラッチ回路（図示せず）を設けることにより、異常状態におけるスイッチングレギュレータ２４の出力電圧、すなわち、出力される直流電源の電圧レベルを任意の電圧レベルに調整することもできる（詳述せず）。
【００３０】
【発明の効果】
以上の説明から明らかなように、本発明のテレビドアホン装置によれば、室内機を構成する各回路（各部）に動作電源を供給している電圧変換回路と、電圧変換回路に電源供給しているスイッチングレギュレータとの間にツェナーダイオードにより構成される電圧制御回路を接続し、電圧変換回路からの出力をなす直流電源の電圧レベルの上昇、例えば、当該電圧変換回路のトランジスタのエミッタ、コレクタ間がショートモードで破壊した場合における直流電源の電圧レベルの上昇に基づいて、スイッチングレギュレータの出力電圧を低下、すなわち、出力される直流電源の電圧レベルを降圧させることにより、室内機を構成する各回路（各部）に異常電圧が供給されることはなく、室内機が不安定な状態となることを回避でき完全な安全対策が図れる。
【図面の簡単な説明】
【図１】  本発明の一実施例によるテレビドアホン装置の構成を示す回路ブロック図である。
【図２】  従来のテレビドアホン装置の構成を示す回路ブロック図である。
【符号の説明】
１‥‥‥カメラ付子機
２‥‥‥室内機
２２‥‥‥モニタ
２４‥‥‥スイッチングレギュレータ
２５‥‥‥電圧変換回路
２６‥‥‥電圧制御回路
２７‥‥‥子機電源供給回路
【図１】
0003773038.tif 000002
【図２】
0003773038.tif 000003